(57)【要約】      （修正有）【課題】作業者の負担を軽減し、作業時にも作業者と第三者の安全且つ作業者の作業効率の良い環境を提供する。【解決手段】その背面に踏段の走行方向と略平行に設けられ、開口８の周囲に立設する安全柵７を引出し自在に収納する収納部１１を備えて乗客コンベアのカバープレート６を構成したため、前記開口８からカバープレート６の一端側を上方へ持ち上げれば、前記収納部１１から安全柵７を引き出して取出し、撤去収納することができる。【選択図】図３
2008056399.tif 000002
【特許請求の範囲】
【請求項１】
無端状に連結され走行する踏段への乗降口に設けられ、その乗降口下方に設けられる開口を閉塞する乗客コンベアのカバープレートにおいて、
その開口側の背面に前記踏段の走行方向と略平行に設けられ、前記開口の周囲に立設する安全柵を引出し自在に収納する収納部を備えて構成したことを特徴とする乗客コンべアのカバープレート。
【請求項２】
請求項１に記載の乗客コンベアのカバープレートにおいて、
その一端側が前記開口から上方へ位置する状態を保持するよう前記開口とその一端側との間に介設される支持部とを設けて構成したことを特徴とする乗客コンベアのカバープレート。
【発明の詳細な説明】
【技術分野】
【０００１】
本発明は、エスカレータや動く歩道等の乗客コンベアのカバープレートに関する。
【背景技術】
【０００２】
一般的に乗客コンベアは、無端状に連結され走行する踏段への乗降口の下方に開口が設けられており、この開口が機械室となっている。そしてこの機械室内には、前記踏段を駆動するモーター等の駆動機械装置が設置されている。
【０００３】
また通常時は、前記機械室上部の開口を閉塞するようカバープレートが設置されており、
上記駆動機械装置の保守点検時などには、このカバープレートを取外して作業を行っている。
【０００４】
ところでカバープレートを取外すと、前記開口が形成されるので、開口付近の第三者が転落しないよう、この開口の周囲に安全柵を立設している。
【０００５】
しかしこの安全柵は、持ち運びに不便であることから、これを解消するため従来では、前記カバープレートの開口側背面に、安全柵を収納しておく構成が提案されていた（特許文献１参照）。
【特許文献１】特開平０８−３３７３８３号公報
【発明の開示】
【発明が解決しようとする課題】
【０００６】
しかし上記従来技術では、カバープレートを一度取外した後でなければ安全柵をその収納状態から取出すことが出来ないため、開口への転落を防止できないという安全上の不都合があった。
【０００７】
すなわち、カバープレートを取外した際にできた開口は、安全柵で囲まれておらず、その際に第三者が開口へ転落する懸念があった。
【０００８】
本発明は上記不都合を解消するために為されたもので、その目的は、前記開口ヘの第三者の転落を防止し、且つ安全柵の収納も可能な乗客コンベアのカバープレートを提供するに有る。
【課題を解決するための手段】
【０００９】
本発明は上記目的を達成するために、無端状に連結され走行する踏段への乗降口に設けられ、その乗降口下方に設けられる開口を閉塞する乗客コンベアのカバープレートにおいて、その開口側の背面に前記踏段の走行方向と略平行に設けられ、前記開口の周囲に立設する安全柵を引出し自在に収納する収納部を備えて構成したことを特徴とする。
【発明の効果】
【００１０】
本発明によれば、その開口側の背面に前記踏段の走行方向と略平行に設けられ、前記開口の周囲に立設する安全柵を引出し自在に収納する収納部を備えて乗客コンベアのカバープレートを構成したため、前記開口からカバープレートの一端側を上方へ持ち上げれば、前記収納部から安全柵を引き出して取出すことができる。
【００１１】
従って、安全柵を取出した後に、カバープレートを下方に戻せば、開口は閉塞された状態となるので、この状態で安全柵を立設すれば開口ヘの第三者の転落を防止でき、且つ作業者の負担も軽減することが出来る。
【発明を実施するための最良の形態】
【００１２】
以下、本発明である乗客コンベアのカバープレートの一実施の形態を図１〜４に基づき説明する。また本実施の形態では乗客コンベアの一例として、エスカレータを例に取り説明するが、動く歩道においても同様に実施可能である。
【００１３】
図１は本発明であるエスカレータのカバープレートの通常使用時の状態を示す乗降口斜視図、図２は本発明であるエスカレータのカバープレート背面か安全柵を引き出す状態を説明する乗降口斜視図、図３は図２の側面図、図４は安全柵を設置後の乗降口斜視図である。
【００１４】
本発明を適用するエスカレータは、無端状に連結された踏段１と、この踏段１と同期して走行する移動手すり２と、踏段１への乗客の乗降口の直下に設けられ機械室となる開口８を閉塞するカバープレートとして、くし板１０に近い方から順次、第１から第３のカバープレート４，５，６とを有して構成されている。
【００１５】
また、前記第１のカバープレート６は図２および図３に示すように、その背面である開口８側に、前記踏投１の走行方向と略平行に設けられ、折りたたみ式の安全柵７を引出し自在に収納する収納部１１が設けられている。すなわち、机の引出しに似た構造である。
【００１６】
さらに、カバープレート６には、図３に示すように、前記開口８の上端緑部とカバープレート６との間に介設され、カバープレート６の一端側が上方へ位置した状態を保持する支持棒９が位置可変に設置可能な構造である。
【００１７】
次に、本発明のカバープレートに収納された安全柵の設置及び撤去方法について説明する。
【００１８】
まず、図１に示すカバープレート６の一端側を上方へ持ち上げ、その状態で支持棒９を開口８の上端縁部とカバープレート６との間に介設し、図２，３に示すと降りカバープレート６の一端側が上方へ位置した状態を保持する。
【００１９】
次にカバープレート６の収納部１１に収納された折りたたみ式安全柵７を引き出して取り出す。その後、前記支持棒９をカバープレート６内に収納した後、カバープレート６で開口８を閉塞する。
【００２０】
そして開口８の閉塞状態で、安全柵７を展開して立設すれば安全柵７の立設作業は終了する。
【００２１】
そして図４に示すように、この状態でカバープレート４，５，６を必要な枚数だけ撤去すれば、開口８である機械室内の保全作業を行うことが出来る。
【００２２】
さらに、保全作業終了後は、カバープレート４，５，６にて開口８を閉塞した後、安全柵７を折たたんでおき、その後、カバープレート６の一端側を上方へ持ち上げ、支持棒９を開口８の上端線部とカバープレート６との間に介設した状態で、カバープレート６の収納部１１に安全柵７を収納する。
【００２３】
その後、前記支持棒９をカバープレート６内に収納した後、カバープレート６で図１に示す通り、開口８を閉塞すれば、安全柵の撤去収納作業が完了する。
【００２４】
本発明によれば、その背面に踏段１の走行方向と略平行に設けられ、開口８の周囲に立設する安全柵７を引出し自在に収納する収納部１１を備えて乗客コンベアのカバープレート６を構成したため、図２，３に示すごとく前記開口８からカバープレート６の一端側を上方へ持ち上げれば、前記収納部１１から安全柵７を引き出して取出し、撤去収納することができる。
【００２５】
従って、安全柵７を取出した後に、カバープレート６を下方に戻せば、開口８は閉塞された状態となるので、この状態で安全柵７を立設すれば開口ヘの第三者の転落を防止でき、且つ作業者の負担も軽減することが出来る。
【００２６】
また安全柵７の撤去収納時も、最小限の開口を形成すれば、その収納が可能であり、開口ヘの第三者の転落を防止でき、且つ作業者の負担も軽減することが出来る。
【００２７】
さらに、安全柵７の取出し及び撤去収納時には支持棒９でカバープレート６を支持している為、該作業を安全に行うことが出来る。
【図面の簡単な説明】
【００２８】
【図１】本発明であるエスカレータのカバープレートの通常使用時の状態を示す乗降口斜視図。
【図２】本発明であるエスカレータのカバープレート背面か安全柵を引き出す状態を説明する乗降口斜視図。
【図３】図２の側面図。
【図４】安全柵を設置後の乗降口斜視図。
【符号の説明】
【００２９】
１  踏投
２  移動手すり
３  床面
４  第３カバープレート
５  第２カバープレート
６  第１カバープレート
７  折りたたみ式安全柵
８  開口部（機械室）
９  支持棒、
１０  くし板
１１  収納部
【図１】
2008056399.tif 000003
【図２】
2008056399.tif 000004
【図３】
2008056399.tif 000005
【図４】
2008056399.tif 000006